(57)【特許請求の範囲】
【請求項１】
幅広の壁部及び幅狭の壁部の交差部に面取り部を有し、横断面略長方形に成形された壁部の内、前記幅広の壁部の高さ方向略中央位置下側に、減容減圧時の減圧変形部を設けた二軸延伸ブロー成形容器において、
前記幅狭の壁部及びその両隣の面取り部にわたって窪ませたリブを有し、
前記リブの長手方向中央領域のリブ深さがその両端領域のリブ深さよりも浅くされていることを特徴とする二軸延伸ブロー成形容器。
【請求項２】
請求項１において、
前記両端領域のリブは、面取り部から幅狭の壁部に延長されていることを特徴とする二軸延伸ブロー成形容器。
【請求項３】
幅広の壁部及び幅狭の壁部の交差部に面取り部を有し、横断面略長方形に成形された壁部の内、前記幅広の壁部の高さ方向略中央位置下側に、減容減圧時に減圧変形する凹部を有する減圧変形部を設けた二軸延伸ブロー成形容器において、
前記幅狭の壁部及びその両隣の面取り部にわたって窪ませたリブを有し、
前記リブの少なくとも長手方向中央領域のリブ深さが、前記減圧変形部の凹部の深さよりも浅くされていることを特徴とする二軸延伸ブロー成形容器。
【発明の詳細な説明】
【０００１】
【産業上の利用分野】
本発明は、二軸延伸ブロー成形容器に関し、特に、二軸延伸ブロー成形容器の壁面構造に関する。
【０００２】
【従来の技術】
周知のように、例えば、ポリエチレンテレフタレート（ＰＥＴ）を用いて二軸延伸ブロー成形された容器（以下、ボトルという）は、耐ガスバリヤ性、透明度、強靱性、衛生面等に多くの利点を有する。
【０００３】
ところで、二軸延伸ブロー成形によって得られたボトルの一つに、耐熱瓶と称されるものがある。この耐熱瓶は、殺菌のために高温にされたジュース等の内容物を充填することができるボトルである。
【０００４】
しかしながら、このようなボトルでは、高温充填された内容物が冷めると内容物の減容により内部が減圧雰囲気となり、ボトル壁部が減圧変形することがある。このような減容減圧による変形はボトル全体の外観形状の変化を招き、ボトルの商品価値を損うことになる。
【０００５】
そこで、このような減容減圧が起きた場合の対策として、壁部の一部のみを減容減圧による変形を行なわせて、ボトル全体の外観形状の変形を防止する構造が採用されている。
【０００６】
この構造は、減圧パネルと称されるものであって、ボトルの壁部表面にボトル内方に向け窪んだ凹部を複数設けた構造が通常用いられている。これにより、減容減圧が発生した場合に凹部のみを減圧変形させることでボトルの他の部分での形状変化を防止することができる。
【０００７】
一方、上記二軸延伸ブロー成形によって得られるボトルには、デザイン上、一例として長方形の断面形状を有するものがある。なお、この場合の断面は、ボトルの縦方向と直角な方向の断面をいう。
【０００８】
そして、このような長方形断面のボトルに対しても減圧パネルを設けることが行なわれており、正方形断面の場合には４辺全ての壁面に、また長方形断面の場合には撓み変形しやすい長辺の壁面にそれぞれ減圧パネルが形成されている。
【０００９】
この減圧パネルは、一般にボトルの壁部における上下２ヵ所に形成されるようになっている。
【００１０】
また、この種のボトルには、各辺が交差する位置に面取り部が形成されて各辺を連続させたものもある。この面取り部を形成する理由としては、ボトル角部、つまり、壁面をなす各辺の交差する位置の強度を確保することが理由となっている。したがって、このようなボトルの断面形状は八角形とされている。
【００１１】
【発明が解決しようとする課題】
しかしながら、上記した容器のうち、正方形断面の場合には、ほとんど減容減圧時の減圧変形が各辺の壁面で略均等に行われるので外観形状の変化が少ないが、特に、長方形断面のように辺の長さが違うボトルの場合には、短い辺の壁面が膨出して外観形状が変化してしまうことがある。
【００１２】
すなわち、高温内容物充填時には、液圧と壁部の熱変形によって膨出変形し易く、その後の冷却時には、減圧によって壁部はボトル内方へへこみ変形し易い。この場合、幅広壁部の方がへこみ易いので減圧変形部が変形するが、幅狭壁部はなかなかへこみ変形しにくい。したがって、膨出変形してしまうとそのままの状態が保たれてしまうことになる。
【００１３】
そこで、幅狭壁部に横リブを形成したら熱充填時の膨出変形は防止された。しかし、この幅狭壁部では全く減圧変形は見込めないため、他の壁部、とりわけ下方に形成された幅広壁部の役割は大きくなる。
【００１４】
ところで、熱充填温度が予定よりも高く設定された場合や、運搬中の衝撃等による外力、あるいは、消費者による把持時の圧力による変形が、この負担の多い幅広壁部にかかった場合、幅広壁部の減圧変形部以外の面が変形し、自己復帰できなくなることがあるという問題があった。
【００１５】
このような減圧パネル間に位置する壁面の減容減圧時における変形は、特に下側の減圧パネルの上部付近にみられることが多いものであった。
【００１６】
本発明は、前述の問題点に着目してなされたもので、その目的は、内容物の加熱充填時などに壁面が膨出するのを防止すると共に、減容減圧時に減圧パネル以外の壁面が凹んで形状変形するのを防止することのできる二軸延伸ブロー成形容器を提供することにある。
【００１７】
【課題を解決するための手段】
前記目的を達成するため、第１の発明は、
幅広の壁部及び幅狭の壁部の交差部に面取り部を有し、横断面略長方形に成形された壁部の内、前記幅広の壁部の高さ方向略中央位置下側に、減容減圧時の減圧変形部を設けた二軸延伸ブロー成形容器において、
前記幅狭の壁部及びその両隣の面取り部にわたって窪ませたリブを有し、
前記リブの長手方向中央領域のリブ深さがその両端領域のリブ深さよりも浅くされていることを特徴としている。
【００１８】
第２の発明は、第１の発明において、
前記両端領域のリブは、面取り部から幅狭の壁部に延長されていることを特徴としている。
【００１９】
第３の発明は、
幅広の壁部及び幅狭の壁部の交差部に面取り部を有し、横断面略長方形に成形された壁部の内、前記幅広の壁部の高さ方向略中央位置下側に、減容減圧時に減圧変形する凹部を有する減圧変形部を設けた二軸延伸ブロー成形容器において、
前記幅狭の壁部及びその両隣の面取り部にわたって窪ませたリブを有し、
前記リブの少なくとも長手方向中央領域のリブ深さが、前記減圧変形部の凹部の深さよりも浅くされていることを特徴としている。
【００２０】
【作用】
前記構成の第１の発明にあっては、内容物の加熱充填時に、前記幅狭の壁部及びその両隣の面取り部にわたって窪ませたリブによって幅狭の壁部が補強された状態となっているため、内容物の重量や変形した壁部から加わる圧力、さらには熱変形等が加わったとしても、幅狭の壁部下部側の膨出変形は防止されることとなる。
【００２１】
特に、リブの長手方向中央領域のリブ深さが両端部のリブ深さよりも浅くされることによって、幅狭の壁部において、一定の減圧値以上の圧力が加わった場合に、その圧力をリブの変形により吸収することが可能となる。
【００２２】
したがって、壁部の減圧変形力による変形を、減圧変形部内に止めて、商品価値を損わないようになっている。
【００２３】
第２の発明にあっては、中央領域のリブに比し深くなっている両端領域のリブが面取り部から幅狭の壁部に延長されることにより、この両端領域のリブが幅狭の壁部の両側部を補強することとなり、内容物の重量や変形した壁部から加わる圧力、さらには熱変形等が加わったとしても、幅狭の壁部全体が膨出変形するのを確実に防止することができる。
【００２４】
また、内容物の減容減圧時に、一定の減圧値を越えて減圧変形部に減圧変形力が加わった場合であっても、面取り部に変形を生じさせることなく、幅狭の壁部内のリブ部分のみを減圧変形させることができる。
【００２５】
したがって、壁部の内圧や減圧による変形を、幅狭の壁部内に止めて、商品価値を損わないようにしている。
【００２６】
第３の発明にあっては、第１の発明の発明と同様に、幅狭の壁部及びその両隣の面取り部にわたって窪ませたリブによって、内容物の重量や変形した壁部から加わる圧力、さらには熱変形等が加わったとしても、幅狭の壁部全体が膨出変形するのを確実に防止できる。
【００２７】
また、内容物の減容減圧時に、一定の減圧値を越えて減圧変形部に減圧変形力が加わった場合であっても、長手方向中央部領域のリブ深さが減圧変形部の凹部の深さよりも浅くされているため、中央領域のリブが変形して減圧を吸収することができる。
【００２８】
【実施例】
以下、本発明の好適な実施例について、図面を参照して詳細に説明する。
【００２９】
図１〜図３は、本発明の一実施例に係る二軸延伸ブロー成形容器（以下、ボトルという）の断面図である。
【００３０】
この実施例に示されているボトル１０は、たとえばポリエチレンテレフタレート（ＰＥＴ）を用いて、二軸延伸ブロー成形により、上端側の開口部を含むリップ部１２と、このリップ部１２から下方に連なる肩部１４と、下端側の底部１６と、この底部１６から上方に連なるヒール部１８と、このヒール部１８と肩部１４との間に形成された胴部２０とが一体に成形されたものとなっている。
【００３１】
胴部２０は、それぞれ対向位置に配置された一対の幅広の壁部２２および幅狭の壁部２４を有する横断面略長方形に形成されている。この胴部２０には、各幅広の壁部２２および幅狭の壁部２４同士の交差部に面取り部２６が高さ方向にわたって形成されている。この面取り部２６は、幅狭の壁部２４よりも幅狭に形成され、幅広の壁部２２および幅狭の壁部２４の交差部の補強をなすようになっている。すなわち、胴部２０は、幅広の壁部２２および幅狭の壁部２４の各交差部に面取り部２６が配置され、しかも面取り部２６が幅狭の壁部２４よりも幅狭となっているため、各壁部２２、２４の交差部４ヵ所が各壁部２２、２４よりも強度の高い面取り部２６によって補強された状態となっている。
【００３２】
また、胴部２０の高さ方向中央位置よりも上方位置に、内方に窪む溝部２８が形成されるようになっている。この溝部２８は、幅広の壁部２２、幅狭の壁部２４および面取り部２６にわたり周方向に連続して設けられるようになっており、この溝部２８を境に、胴部２０が上胴部３０と、下胴部３２とに区分けされるようになっている。このように、溝部２８が、胴部２０上下方向における途中位置に形成されることにより、胴部２０の上下方向途中位置で胴部２０の側圧に対する補強を行うと共に、胴部２０を上胴部３０および下胴部３２の上下方向において小単位に区分けすることにより、胴部２０の座屈変形を防止するようになっている。
【００３３】
さらに、充填された内容物からの液圧を大きく受ける下胴部３２には、幅広の壁部２２に内容物の減容減圧時に減圧変形可能な減圧変形部３４を設けると共に、幅狭の壁部２４に内容物の加熱充填時や幅広の壁部２２把持時の外側への膨らみを防止するリブ３６が設けられるようになっている。
【００３４】
減圧変形部３４は、幅広の壁部２２の下胴部３２中央部分に縦長の略長方形状に形成されており、この減圧変形部３４内には周囲に前記壁部２２の減圧変形部３４を除く外表面（以下、一般面と称す）よりも内方に向かって窪む凹部３８が環状に連続した状態で形成され、この凹部３８に囲まれる中央部分に前記壁部２２の一般面よりも若干内方よりに位置する平面部４０が凹部３８から連続した状態で形成されている。そして、内容物の減容減圧時に、凹部３８の外周縁部分をヒンジ支点として平面部４０が内方に減圧変形し得るようになっている。
【００３５】
また、減圧変形部３４内の上部位置には、横方向にわたる補強溝４２が形成されている。この補強溝４２は、減圧変形部３４の周囲に形成した凹部３８よりも深く内方に向けて窪んだ状態で形成され、補強リブとして機能するもので、減圧変形部３４上部の補強を行い、減圧変形部３４の上部に連なる壁部２２の一般面が減圧変形部３４の減圧変形に伴って変形するのを防止するようにしている。また、補強溝４２は、減圧変形部３４内において、減圧変形部３４の凹部３８上端位置からその上に連なる壁部２２の途中位置まで延設した状態で設けられており、この補強溝４２と溝部２８との間の壁面の間隔が狭くなるようにしている。したがって、補強溝４２と溝部２８との間に補強リブが形成された状態となって、リブ効果が高くなり、より一層、減圧変形部３４の上部に連なる壁部２２の一般面が減圧変形部３４の減圧変形に伴って変形するのを確実に防止することが可能となる。さらに、補強溝４２の底部と減圧変形部３４の上方位置の一般面との間の立上り部４３に、補強段部４５を設け、立上り部４３の補強を行い、凹部３８上端が確実にヒンジ支点となるようにしている。
【００３６】
リブ３６は、幅狭の壁部２４の高さ方向に所定間隔で複数本（本実施例においては５本）、幅方向全域にわたって設けられており、このリブ３６によって、幅狭の壁部２４の補強を行うことにより、内容物の加熱充填時や幅広の壁部２２の把持時における壁部２４の膨出を防止するようにしている。
【００３７】
また、各リブ３６の両端部には、幅狭の壁部２４と面取り部２６とが交差する角部を越えて両隣の面取り部２６にわたって延長された延長部４４が設けられており、このようにリブ３６を両隣の面取り部２６まで延長させることにより、リブ３６の両端部分を、幅狭の壁部２４よりも幅狭で曲げ強度の高い面取り部２６に支持させることができ、より一層、壁部２４の膨出を確実に防止できるようになっている。
【００３８】
さらに、各リブ３６は幅狭の壁部２４内にある長手方向中央領域のリブ３６の深さＤ２が、その両端領域に形成された延長部４４の深さＤ１よりも浅く形成され、減圧変形部３４に一定の減圧値以上の減圧変形力が加わった場合に、延長部４４よりも深さの浅い幅狭の壁部２４におけるリブ３６部分が減圧変形し得るようにして、幅広の壁部２２に設けた減圧変形部３４の上部に連なる壁部２２の一般面の減圧変形を防止するようにしている。
【００３９】
また、幅狭の壁部２４におけるリブ３６部分の深さＤ２は、幅広の壁部２２に設けた減圧変形部３４内の凹部３８の深さＤ３よりも浅く形成され、減圧変形部３４に一定の減圧値以上の減圧変形力が加わった場合に、凹部３８よりも深さの浅い幅狭の壁部２４におけるリブ３６部分が容易に減圧変形し得るようにして、幅広の壁部２２に設けた減圧変形部３４の上部に連なる壁部２２の一般面の減圧変形を防止するようにしている。
【００４０】
さらに、上胴部３０の幅広の壁部２２および幅狭の壁部２４には、それぞれ内容物の減容減圧時に減圧変形し得る減圧変形部４６、４８が設けられている。幅広の壁部２２においては減圧変形部４６は大きく形成され、幅狭の壁部２４においては減圧変形部４８は比較的小さく形成されるようになっている。また、上胴部３０においては、下胴部３２に比べて面積が小さく、幅広の壁部２２および幅狭の壁部２４の強度も高いので、減圧変形部４６、４８は凹部５０、５２および平面部５４、５６のみで構成され、補強溝は設けられておらず、しかも、幅狭の壁部２４にはリブが設けられていない。
【００４１】
本実施例は以上のような構成であるから、内容物を加熱充填する際に、胴部２０に液圧がかかって、胴部２０、特に下胴部３２に膨出方向の圧力がかかった場合であっても、リブ３６によって下胴部３２の幅狭の壁部２４が補強されているため、膨出状態となるのは防止される。特に、リブ３６は、両端部が強度の高い面取り部２６まで延長されて支持された状態となっているため、壁部２４の膨出は確実に防止されることとなる。
【００４２】
また、胴部２０の幅広の壁部２２を把持して内圧が高くなった場合であっても、前記リブ３６の存在により、幅狭の壁部２４の膨出が確実に防止されることとなる。
【００４３】
さらに、加熱充填された内容物が減容減圧した場合であっても、上胴部３０の減圧変形部４６、４８および下胴部３２の幅広の壁部２２に設けた減圧変形部３４が減圧変形して内容物の減容減圧に対応することとなる。
【００４４】
この場合、減圧時の下胴部３２における減圧変形部３４の減圧変形に伴って、減圧変形部３４の上部と連なる壁部２２の一般面が変形を起こしやすいが、幅狭の壁部２４内におけるリブ３６の深さＤ２が両端部に形成された延長部４４の深さＤ１よりも浅く形成され、しかも、幅狭の壁部２４におけるリブ３６部分の深さＤ２が、幅広の壁部２２に設けた減圧変形部３４内の凹部３８の深さＤ３よりも浅く形成されているため、減圧変形部３４に一定の減圧値以上の減圧変形力が加わった場合に、幅狭の壁部２４におけるリブ３６部分が確実に減圧変形して、幅広の壁部２２に設けた減圧変形部３４の上部に連なる壁部２２の一般面の減圧変形を防止することとなる。
【００４５】
また、減圧変形部３４内上部に設けた補強溝４２の補強によって前記一般面の変形がより確実に防止されることとなる。特に、補強溝４２が減圧変形部３４に形成した凹部３８よりも深く内方に窪ませられ、かつ、前述の如く減圧変形部３４上方に延設されることにより、胴部２０に形成した溝部２８と補強溝３４との間の壁部２２の一般面の間隔が狭められて、補強リブとして機能するため、より確実に一般面の変形が防止されることとなる。
【００４６】
本発明は、前記各実施例に限定されるものではなく、本発明の要旨の範囲内において種々の変形実施が可能である。
【００４７】
例えば、前記実施例においては、上胴部にリブを形成していないが、上胴部においてはラベル等が貼付されることが多く、このラベル等の貼付に影響のない面取り部等の部分にリブを形成することは可能である。
【００４８】
また、本実施例においては、幅狭の壁部２４内におけるリブ３６の深さＤ２が両端部に形成された延長部４４の深さＤ１よりも浅く形成され、しかも、幅狭の壁部２４内におけるリブ３６部分の深さＤ２が、幅広の壁部２２に設けた減圧変形部３４内の凹部３８の深さＤ３よりも浅く形成されているが、この深さの関係は、幅狭の壁部内におけるリブ部分と、凹部または延長部との関係のいずれかの関係のみとすることも可能である。
【００４９】
さらに、幅狭の壁部２４内におけるリブ３６部分の深さのまま延長部４４を延長させることも可能である。
【００５０】
【発明の効果】
以上説明したように第１の発明にあっては、内容物の加熱充填時に、前記幅狭の壁部及びその両隣の面取り部にわたって窪ませたリブによって幅狭の壁部が補強された状態となっているため、内容物の重量や変形した壁部から加わる圧力、さらには熱変形等が加わったとしても、幅狭の壁部下部側の膨出変形は防止されるという効果がある。
【００５１】
特に、リブの長手方向中央領域のリブ深さが両端部のリブ深さよりも浅くされることによって、幅狭の壁部において、一定の減圧値以上の圧力が加わった場合に、その圧力をリブの変形により吸収することが可能となる。
【００５２】
したがって、壁部の減圧変形力による変形を、減圧変形部内に止めて、商品価値を損わないようするという効果がある。
【００５３】
第２の発明によれば、中央領域のリブに比し深くなっている両端領域のリブが面取り部から幅狭の壁部に延長されることにより、この両端領域のリブが幅狭の壁部の両側部を補強することとなり、内容物の重量や変形した壁部から加わる圧力、さらには熱変形等が加わったとしても、幅狭の壁部全体が膨出変形するのを確実に防止することができるという効果がある。
【００５４】
また、内容物の減容減圧時に、一定の減圧値を越えて減圧変形部に減圧変形力が加わった場合であっても、面取り部に変形を生じさせることなく、幅狭の壁部内のリブ部分のみを減圧変形させることができるという効果がある。
【００５５】
したがって、壁部の内圧や減圧による変形を、幅狭の壁部内に止めて、商品価値を損わないようするという効果がある。
【００５６】
第３の発明によれば、第１の発明の発明と同様に、幅狭の壁部及びその両隣の面取り部にわたって窪ませたリブによって、内容物の重量や変形した壁部から加わる圧力、さらには熱変形等が加わったとしても、幅狭の壁部全体が膨出変形するのを確実に防止できるという効果がある。
【００５７】
また、内容物の減容減圧時に、一定の減圧値を越えて減圧変形部に減圧変形力が加わった場合であっても、長手方向中央部領域のリブ深さが減圧変形部の凹部の深さよりも浅くされているため、中央領域のリブが変形して減圧を吸収することができるという効果がある。
【図面の簡単な説明】
【図１】本発明の一実施例に係る二軸延伸ブロー成形容器の幅広の壁部側からみた正面図である。
【図２】図１の幅狭の壁部側からみた部分破断正面図である。
【図３】図１のＩＩＩ  −ＩＩＩ  線に沿う断面図である。
【符号の説明】
１０    ボトル
２０  胴部
２２    幅広の壁部
２４    幅狭の壁部
２６    面取り部
２８    溝部
３０  上胴部
３２  下胴部
３４  減圧変形部
３６  リブ
３８  凹部
４２  補強溝
４４  延長部
【図１】
0003544706.tif 000002
【図２】
0003544706.tif 000003
【図３】
0003544706.tif 000004